(57)【要約】  本発明に係る移動通信方法は、各セル＃Ａ乃至＃Ｇに対して、１つ又は複数のＺａｄｏｆｆ-Ｃｈｕ系列を割り当てる工程と、各セル＃Ａ乃至＃Ｇにおいて、割り当てられたＺａｄｏｆｆ-Ｃｈｕ系列を所定期間Ｎｃｓだけサイクリックシフトすることによって複数のＲＡＣＨプリアンブルを生成する工程と、各セル＃Ａ乃至＃Ｇにおいて、所定期間Ｎｃｓ内のＲＡＣＨプリアンブルの受信タイミング分布を取得する工程とを有する。
2011043321.tif 000002
【特許請求の範囲】
【請求項１】
各セルに対して、時間領域及び周波数領域で振幅が一定であり自己相関が０である所定系列を割り当てる工程と、
各セルにおいて、前記所定系列を所定期間だけサイクリックシフトすることによって、複数のプリアンブルを生成する工程と、
各セルにおいて、前記所定期間内のプリアンブルの受信タイミング分布を取得する工程とを有することを特徴とする移動通信方法。
【請求項２】
各セルにおいて、取得した前記受信タイミング分布に基づいて、各セルに対して割り当てる所定系列の数又は所定期間の長さを設定する工程を更に有することを特徴とする請求項１に記載の移動通信方法。
【請求項３】
前記所定系列を割り当てる工程は、周辺のセルと異なる系列となるように該所定系列を割り当てることを特徴とする請求項１に記載の移動通信方法。
【請求項４】
各セルに対して、時間領域及び周波数領域で振幅が一定であり自己相関が０である所定系列を割り当て、該所定系列を所定期間だけサイクリックシフトすることによって複数のプリアンブルを生成するように構成されている移動通信システムにおいて用いられる無線基地局であって、
各セルにおいて、前記所定期間内のプリアンブルの受信タイミング分布を取得するように構成されている取得部を具備することを特徴とする無線基地局。
【請求項５】
各セルにおいて、取得した前記受信タイミング分布に基づいて、各セルに対して割り当てられた所定系列に適用すべき所定期間の長さを設定するように構成されている設定部を更に具備することを特徴とする請求項４に記載の無線基地局。
【請求項６】
周辺のセルと異なる系列となるように前記所定系列を割り当てることを特徴とする請求項４に記載の無線基地局。
【請求項７】
無線基地局と制御局とを具備する移動通信システムであって、
前記無線基地局は、
各セルに対して、時間領域及び周波数領域で振幅が一定であり自己相関が０である所定系列を所定期間だけサイクリックシフトすることによって複数のプリアンブルを生成するように構成されている生成部と、
各セルにおいて、前記所定期間内のプリアンブルの受信タイミング分布を取得するように構成されている取得部と、
前記受信タイミング分布に基づいて、各セルに対して割り当てる前記所定系列の数又は前記所定期間の長さを算出し、該所定系列の数又は該所定期間の長さを前記制御局に通知するように構成されている設定部とを具備し、
前記制御局は、
各セルに対して、通知された前記所定系列の数又は前記所定期間の長さに基づいて、周辺のセルと異なる系列となるように前記所定系列を割り当てるように構成されている割当部を具備することを特徴とする移動通信システム。
【発明の詳細な説明】
【技術分野】
【０００１】
本発明は、移動通信方法及び無線基地局に関する。
【背景技術】
【０００２】
一般に、移動通信システムでは、初期接続のために、ランダムアクセス（Ｒａｎｄｏｍ  Ａｃｃｅｓｓ）手順が用いられる。ＬＴＥ（Ｌｏｎｇ  Ｔｅｒｍ  Ｅｖｏｌｕｔｉｏｎ）方式の移動通信システムでは、かかるランダムアクセス手順のためのチャネルは、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）と呼ばれる。また、ＬＴＥ方式では、ランダムアクセス手順は、初期接続に加えて、ハンドオーバやデータ通信再開等のためにも用いられる。【０００３】
ＬＴＥ方式の移動通信システムは、各セルに対して、ＰＲＡＣＨの「ＲＡＣＨ  ｒｏｏｔ  ｓｅｑｕｅｎｃｅ」として、１つ又は複数のＺａｄｏｆｆ-Ｃｈｕ系列を割り当て、１セル当たり６４個のＲＡＣＨプリアンブル（ＲＡＣＨ  ｐｒｅａｍｂｌｅ）を確保するように構成されている。【０００４】
ここで、Ｚａｄｏｆｆ-Ｃｈｕ系列は、時間領域及び周波数領域で振幅が一定であり自己相関が０であるという性質を有し、Ｚａｄｏｆｆ-Ｃｈｕ系列をサイクリックシフトした系列同士は直交する。Ｚａｄｏｆｆ-Ｃｈｕ系列の種類は、８３８種類である。【０００５】
具体的には、図９に示すように、１つ又は複数のＺａｄｏｆｆ-Ｃｈｕ系列を所定のサイクリックシフト量（図９の例では、１２.５μｓｅｃ）だけサイクリックシフトすることによって、セル当たり６４個のＲＡＣＨプリアンブルを確保することができる。ここで、８００μｓｅｃ及び１２．５μｓｅｃといった値は、一例である。【０００６】
なお、１つのＺａｄｏｆｆ-Ｃｈｕ系列から生成可能なＲＡＣＨプリアンブルの数は、セル構成（例えば、セル半径や伝搬遅延状態や高速移動対応の有無等）に依存する。【０００７】
ここで、無線基地局ｅＮＢと移動局ＵＥとの間の伝搬遅延が、上述のサイクリックシフト量よりも大きい場合、無線基地局ｅＮＢは、サイクリックシフトにより遅延しているのか、実際の伝搬遅延により遅延しているのかを見分けることができない。【０００８】
具体的には、図１０（ａ）に示すように、伝搬遅延が、上述のサイクリックシフト量Ｎｃｓよりも大きい場合、無線基地局ｅＮＢは、受信ウィンドウ＃１０２において、サイクリックシフト量が「Ｎｃｓ」であるＲＡＣＨプリアンブル＃１（セル中央に位置する移動局ＵＥからのＲＡＣＨプリアンブル＃１）とサイクリックシフト量が「０」であるＲＡＣＨプリアンブル＃２（セル端に位置する移動局ＵＥからのＲＡＣＨプリアンブル＃２）とを区別することができない。【０００９】
かかる場合、セル設計作業時に、図１０（ｂ）に示すように、サイクリックシフト量Ｎｃｓを大きくし、セルごとに６４個のＲＡＣＨプリアンブルを確保するために、かかるセルに割り当てるＺａｄｏｆｆ-Ｃｈｕ系列の数を増やす必要がある。【００１０】
上述したように、ＬＴＥ方式では、各セルに割り当てるＰＲＡＣＨのＲＡＣＨ  ｒｏｏｔ  ｓｅｑｕｅｎｃｅの設計、すなわち、プランニングを行う必要がある。また、かかるＲＡＣＨ  ｒｏｏｔ  ｓｅｑｕｅｎｃｅの設計においては、セル構成（例えば、セル内の最大伝送遅延等）を考慮する必要がある。【００１１】
しかしながら、一般に、ＲＡＣＨ  ｒｏｏｔ  ｓｅｑｕｅｎｃｅの設計の段階で、上述のセル内の最大伝送遅延等を正確に見積もることは困難である。また、移動通信システムの運用開始後に、セル構成（例えば、セル内の最大伝送遅延等）が変更になる場合もあり、この場合も、上述のセル内の最大伝送遅延等を正確に見積もることが困難となる。【００１２】
このような場合に、従来は、ネットワーク運用者が、フィールド測定等を行い、再度、セル設計作業（具体的には、ＲＡＣＨプリアンブルの割り当て作業）を行う必要があり、多大な労力を要し、効率的ではないという問題点があった。
【発明の概要】
【００１３】
そこで、本発明は、上述の課題に鑑みてなされたものであり、効率的に、ＲＡＣＨプリアンブルの再割り当てを行うことができる移動通信方法及び無線基地局を提供することを目的とする。
【００１４】
本発明の第１の特徴は、移動通信方法であって、各セルに対して、時間領域及び周波数領域で振幅が一定であり自己相関が０である所定系列を割り当てる工程と、各セルにおいて、前記所定系列を所定期間だけサイクリックシフトすることによって、複数のプリアンブルを生成する工程と、各セルにおいて、前記所定期間内のプリアンブルの受信タイミング分布を取得する工程とを有することを要旨とする。
【００１５】
本発明の第２の特徴は、各セルに対して、時間領域及び周波数領域で振幅が一定であり自己相関が０である所定系列を割り当て、該所定系列を所定期間だけサイクリックシフトすることによって複数のプリアンブルを生成するように構成されている移動通信システムにおいて用いられる無線基地局であって、各セルにおいて、前記所定期間内のプリアンブルの受信タイミング分布を取得するように構成されている取得部を具備することを要旨とする。
【００１６】
本発明の第３の特徴は、無線基地局と制御局とを具備する移動通信システムであって、前記無線基地局は、各セルに対して、時間領域及び周波数領域で振幅が一定であり自己相関が０である所定系列を所定期間だけサイクリックシフトすることによって複数のプリアンブルを生成するように構成されている生成部と、各セルにおいて、前記所定期間内のプリアンブルの受信タイミング分布を取得するように構成されている取得部と、前記受信タイミング分布に基づいて、各セルに対して割り当てる前記所定系列の数又は前記所定期間の長さを算出し、該所定系列の数及び該所定期間の長さを前記制御局に通知するように構成されている設定部とを具備し、前記制御局は、各セルに対して、通知された前記所定系列の数又は前記所定期間の長さに基づいて、周辺のセルと異なる系列となるように前記所定系列を割り当てるように構成されている割当部を具備することを要旨とする。
【図面の簡単な説明】
【００１７】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局による統計値の算出方法の一例を説明するための図である。
【図４】本発明の第１の実施形態に係る無線基地局による統計値の算出方法の一例を説明するための図である。
【図５】本発明の第１の実施形態に係る無線基地局による統計値の算出方法の一例を説明するための図である。
【図６】本発明の第１の実施形態に係る無線基地局による各セルに対するＺａｄｏｆｆ-Ｃｈｕ系列の割り当てについての再プラニング方法の一例を説明するための図である。
【図７】本発明の第１の実施形態に係る移動通信システムにおいてＳＯＮ或いはＰｌｕｇ＆Ｐｌａｙが行われる場合の動作を説明するための図である。
【図８】本発明の第１の実施形態に係る無線基地局の動作を示すフローチャートである。
【図９】従来の移動通信システムで用いられるＲＡＣＨプリアンブルについて説明するための図である。
【図１０】従来の移動通信システムで用いられるＲＡＣＨプリアンブルについて説明するための図である。
【発明を実施するための形態】
【００１８】
（本発明の第１の実施形態に係る移動通信システムの構成）
図１乃至図６を参照して、本発明の第１の実施形態に係る移動通信システムの構成について説明する。
【００１９】
本実施形態に係る移動通信システムは、ＬＴＥ方式の移動通信システムである。図１に示すように、本実施形態に係る移動通信システムでは、移動局ＵＥは、セル＃１では、ＰＲＡＣＨ（Ｐｈｙｓｉｃａｌ  Ｒａｎｄｏｍ  Ａｃｃｅｓｓ  Ｃｈａｎｎｅｌ）を介して、無線基地局ｅＮＢ＃１に対して、セル＃１に割り当てられているＲＡＣＨプリアンブル＃１を送信し、セル＃２では、ＰＲＡＣＨを介して、無線基地局ｅＮＢ＃２に対して、セル＃２に割り当てられているＲＡＣＨプリアンブル＃２を送信するように構成されている。
【００２０】
ここで、ＲＡＣＨプリアンブル＃１は、セル＃１に割り当てられたＺａｄｏｆｆ-Ｃｈｕ系列を、所定のサイクリックシフト量（所定期間）Ｎｃｓだけサイクリックシフトすることによって生成されるものであり、ＲＡＣＨプリアンブル＃２は、セル＃２に割り当てられたＺａｄｏｆｆ-Ｃｈｕ系列を、所定のサイクリックシフト量（所定期間）Ｎｃｓだけサイクリックシフトすることによって生成されるものである。
【００２１】
図２に示すように、無線基地局ｅＮＢは、ＲＡＣＨプリアンブル受信部１１と、統計値算出部１２と、取得部１３と、設定部１４と、通知部１５とを具備している。
【００２２】
ＲＡＣＨプリアンブル受信部１１は、配下のセルに位置する移動局ＵＥによってＰＲＡＣＨを介して送信されたＲＡＣＨプリアンブルを受信するように構成されている。
【００２３】
ここで、ＲＡＣＨプリアンブル受信部１１は、各受信ウィンドウにおいて、所定のＲＡＣＨプリアンブルの受信を試みるように構成されている。なお、各受信ウィンドウの長さ（所定期間）は、所定のＲＡＣＨプリアンブルを生成する際にサイクリックシフトされたサイクリックシフト量に対応する。
【００２４】
統計値算出部１２は、各セルにおいて、所定期間Ｎｃｓ内のＲＡＣＨプリアンブルの受信タイミング分布を取得するように構成されている。なお、かかるＲＡＣＨプリアンブルの受信タイミングは、Ｔｉｍｉｎｇ  Ａｄｖａｎｃｅ  （ＴＡ）の値と同一であってもよい。或いは、かかるＲＡＣＨプリアンブルの受信タイミングは、Ｔｉｍｉｎｇ  Ａｄｖａｎｃｅ  （ＴＡ）に相当する値であってもよい。
【００２５】
また、かかるＲＡＣＨプリアンブルの受信タイミング分布は、受信ウィンドウを所定数の領域に分割し、分割された領域ごとのプリアンブル数により構成されてもよい。かかる所定数は、例えば、１０という値であってもよいし、６４という値であってもよい。
【００２６】
例えば、統計値算出部１２は、図３に示すように、セル＃Ａにおいて、受信ウィンドウ＃１０１、＃１０２、＃１０３、…（各受信ウィンドウの長さ（サイズ）は、Ｎｃｓに対応）内のＲＡＣＨプリアンブルの受信タイミング分布を取得するように構成されている。
【００２７】
図３の例では、ＲＡＣＨプリアンブルの受信タイミングは、受信ウィンドウ＃Ａ内で一様に分布されているため、受信ウィンドウ＃１０１、＃１０２、＃１０３、…の長さ（すなわち、サイクリックオフセット量Ｎｃｓ）は、セル＃Ａの半径に対して適切であると判断することができる。
【００２８】
また、統計値算出部１２は、図４に示すように、セル＃Ｂにおいて、受信ウィンドウ＃１０１、＃１０２、＃１０３、…（Ｎｃｓに対応）内のＲＡＣＨプリアンブルの受信タイミング分布を取得するように構成されている。
【００２９】
図４の例では、ＲＡＣＨプリアンブルの受信タイミングは、受信ウィンドウ＃１０１、＃１０２、＃１０３、…内の前半部分に分布が偏っているため、受信ウィンドウ＃１０１、＃１０２、＃１０３、…の長さ（すなわち、サイクリックオフセット量Ｎｃｓ）は、セル＃Ｂの半径に対して長すぎると判断することができる。
【００３０】
また、統計値算出部１２は、図５に示すように、セル＃Ｃにおいて、受信ウィンドウ＃１０１、＃１０２、＃１０３、…（Ｎｃｓに対応）内のＲＡＣＨプリアンブルの受信タイミング分布を取得するように構成されている。
【００３１】
図５の例では、ＲＡＣＨプリアンブルの受信タイミングは、受信ウィンドウ＃１０１、＃１０２、＃１０３、…内の後半部分にまで広がっており、受信ウィンドウ＃１０１、＃１０２、＃１０３、…の長さ（すなわち、サイクリックオフセット量Ｎｃｓ）は、セル＃Ｃの半径に対して短すぎると判断することができる。
【００３２】
なお、上述した例におけるセル＃Ａや＃Ｂや＃Ｃは、一例であり、上記以外のセルに関して、同様の判断が行われてもよい。
【００３３】
取得部１３は、周辺の無線基地局ｅＮＢから、各セルに対して割り当てているＺａｄｏｆｆ-Ｃｈｕ系列に関する情報を取得するように構成されている。
【００３４】
設定部１４は、統計値算出部１２によって取得された各セルにおける受信ウィンドウ内のＲＡＣＨプリアンブルの受信タイミング分布に基づいて、各セル＃Ａ乃至＃Ｇに対して割り当てるＺａｄｏｆｆ-Ｃｈｕ系列の数及び所定期間（サイクリックオフセット量）Ｎｃｓの長さを設定するように構成されている。
【００３５】
例えば、図４のケースのように、受信ウィンドウ＃１０１、＃１０２、＃１０３、…の長さ（すなわち、サイクリックオフセット量Ｎｃｓ）がセル＃Ａの半径に対して長すぎると判断されるケースには、設定部１４は、サイクリックオフセット量Ｎｃｓの長さを短くするように設定することができる。
【００３６】
より具体的には、例えば、設定部１４は、上述の受信タイミング分布からＣＤＦ（Ｃｕｍｕｌａｔｉｖｅ  Ｄｉｓｔｒｉｂｕｔｉｏｎ  Ｆｕｎｃｔｉｏｎ）を取得し、かかるＣＤＦの９０％点の受信タイミングが、受信ウィンドウ内の前半５０％以内に含まれる場合に、サイクリックオフセット量Ｎｃｓの長さを短くするように設定し、それ以外の場合に、サイクリックオフセット量Ｎｃｓの長さを短くするように設定しない、すなわち、現状を維持するという処理を行ってもよい。
【００３７】
なお、上述のＣＤＦの９０％点という値や受信ウィンドウ内の前半５０％以内という値は一例であり、上記以外の値であってもよい。すなわち、設定部１４は、上述の受信タイミング分布と所定の閾値（上述した例では、受信ウィンドウ内の前半５０％という値）とに基づいて、サイクリックシフト量Ｎｃｓの長さを短くするか否かの設定を行ってもよい。
【００３８】
より具体的には、設定部１４は、受信ウィンドウ内の前半において受信されるプリアンブル数が多い場合、或いは、受信ウィンドウ内の前半において受信されるプリアンブルの割合が多い場合には、サイクリックシフト量Ｎｃｓの長さを短くすると判定してもよい。
【００３９】
かかる場合、設定部１４は、図６（ａ）→（ｃ）に示すように、セル＃Ａに割り当てるＺａｄｏｆｆ-Ｃｈｕ系列の数を減らすように構成されていてもよい。ここで、設定部１４は、図６（ｃ）→（ｄ）に示すように、セル＃Ａの周りのセル、すなわち、セル＃Ｂ、セル＃Ｃ、セル＃Ｄ、セル＃Ｅ、セル＃Ｆ、セル＃Ｇに割り当てるＺａｄｏｆｆ-Ｃｈｕ系列の種類を変更するように構成されていてもよい。
【００４０】
また、受信ウィンドウ＃１０１、＃１０２、＃１０３、…の長さ（すなわち、サイクリックオフセット量Ｎｃｓ）がセル＃Ａの半径に対して短すぎると判断されるケースには、設定部１４は、サイクリックオフセット量Ｎｃｓの長さを長くするように設定することができる。
【００４１】
より具体的には、例えば、設定部１４は、上述の受信タイミング分布からＣＤＦ（Ｃｕｍｕｌａｔｉｖｅ  Ｄｉｓｔｒｉｂｕｔｉｏｎ  Ｆｕｎｃｔｉｏｎ）を取得し、かかるＣＤＦの９０％点の受信タイミングが、受信ウィンドウ内の後２０％以内に含まれる場合に、サイクリックオフセット量Ｎｃｓの長さを長くするように設定し、それ以外の場合に、サイクリックオフセット量Ｎｃｓの長さを長くするように設定しない、すなわち、現状を維持するという処理を行ってもよい。
【００４２】
なお、上述のＣＤＦの９０％点という値や受信ウィンドウ内の後半２０％以内という値は一例であり、上記以外の値であってもよい。すなわち、設定部１４は、上述の受信タイミング分布と所定の閾値（上述した例では、受信ウィンドウ内の後半２０％という値）とに基づいて、サイクリックシフト量Ｎｃｓの長さを長くするか否かの設定を行ってもよい。
【００４３】
より具体的には、設定部１４は、受信ウィンドウ内の後半において受信されるプリアンブル数が多い場合には、あるいは、受信ウィンドウ内の後半において受信されるプリアンブルの割合が多い場合には、サイクリックシフト量Ｎｃｓの長さを長くすると判定してもよい。
【００４４】
かかる場合、設定部１４は、図６（ａ）→（ｂ）に示すように、セル＃Ａに割り当てるＺａｄｏｆｆ-Ｃｈｕ系列の数を増やすように構成されていてもよい。
【００４５】
ここで、設定部１４は、セル＃Ａに対して、取得部１３によって取得された周辺の無線基地局ｅＮＢ配下のセルにて用いられているＺａｄｏｆｆ-Ｃｈｕ系列と異なるＺａｄｏｆｆ-Ｃｈｕ系列を割り当てるように構成されている。
【００４６】
また、設定部１４は、上述のＺａｄｏｆｆ-Ｃｈｕ系列の数を減らした場合の処理と同様に、セル＃Ａに割り当てるＺａｄｏｆｆ-Ｃｈｕ系列の数を増やすと同時に、セル＃Ａの周りのセル、すなわち、セル＃Ｂ、セル＃Ｃ、セル＃Ｄ、セル＃Ｅ、セル＃Ｆ、セル＃Ｇに割り当てるＺａｄｏｆｆ-Ｃｈｕ系列の種類を変更するように構成されていてもよい。
【００４７】
設定部１４は、所定条件が満たされた場合に、上述のようなＺａｄｏｆｆ-Ｃｈｕ系列の数及び所定期間（サイクリックオフセット量）Ｎｃｓの長さの再設定を行うように構成されている。
【００４８】
また、設定部１４は、ＳＯＮ（Ｓｅｌｆ  Ｏｒｇａｎａｉｚｅ  Ｎｅｔｗｏｒｋ）として、或いは、Ｐｌｕｇ＆Ｐｌａｙ機能によって、自律的に、上述の設定を行うように構成されていてもよい。
【００４９】
なお、上述したＳＯＮ或いはＰｌｕｇ＆Ｐｌａｙを行う場合、図７に示すように、ＳＯＮ或いはＰｌｕｇ＆Ｐｌａｙのためのノード（制御局）が存在し、かかるノードが、各セル用の設定部１４と連携することにより、自律的に上述の設定を行ってもよい。
【００５０】
より具体的には、各セル用の設定部１４は、上述の処理により、当該セルに割り当てるＺａｄｏｆｆ-Ｃｈｕ系列の数を算出し、かつ、当該セルに割り当てるＺａｄｏｆｆ-Ｃｈｕ系列の数を、上述のノード（制御局）に通知する。
【００５１】
次に、かかるノード（制御局）の割当部は、各セル用の設定部１４から通知された「当該セルに割り当てるＺａｄｏｆｆ-Ｃｈｕ系列の数」に基づき、各セルに割り当てられるＺａｄｏｆｆ-Ｃｈｕ系列が、互いに異なる系列となるように、各セルに割り当てられるＺａｄｏｆｆ-Ｃｈｕ系列を決定してもよい。
【００５２】
そして、かかるノード（制御局）の割当部は、決定した各セルに割り当てられるＺａｄｏｆｆ-Ｃｈｕ系列を、各セル用の設定部１４に通知する。
【００５３】
最後に、各セル用の設定部１４は、かかるノード（制御局）より通知された、各セルに割り当てられるＺａｄｏｆｆ-Ｃｈｕ系列を、当該セルのＺａｄｏｆｆ-Ｃｈｕ系列として設定する。
【００５４】
なお、かかるノード（制御局）は、集約ノード或いは制御局と呼ばれてもよい。また、上述の処理において、当該セルに割り当てるＺａｄｏｆｆ-Ｃｈｕ系列の数に加えて、当該セルにおいて使用されるプリアンブルの受信ウィンドウサイズが使用されてもよい。
【００５５】
通知部１５は、配下のセルに対して割り当てたＺａｄｏｆｆ-Ｃｈｕ系列に関する情報を、周辺の無線基地局ｅＮＢに対して通知するように構成されている。
【００５６】
また、通知部１５は、設定部１４によって設定されたＺａｄｏｆｆ-Ｃｈｕ系列の数及び所定期間（サイクリックオフセット量）Ｎｃｓの長さについて、配下のセルに位置する移動局ＵＥに対して通知するように構成されている。
【００５７】
設定部１４によって設定されたＺａｄｏｆｆ-Ｃｈｕ系列の数及び所定期間（サイクリックオフセット量）Ｎｃｓの長さは、報知情報の一部として移動局ＵＥに通知されてもよい。
【００５８】
或いは、設定部１４によって設定されたＺａｄｏｆｆ-Ｃｈｕ系列の数及び所定期間（サイクリックオフセット量）Ｎｃｓの長さは、ＲＲＣ  ｍｅｓｓａｇｅの一部として移動局ＵＥに通知されてもよい。
【００５９】
ここで、ＲＲＣ  ｍｅｓｓａｇｅとは、例えば、ＨＯ  ｃｏｍｍａｎｄであってもよい。この場合、通知部１５は、ハンドオーバにより当該セルに遷移してくる移動局ＵＥに対して、ハンドオーバ元の無線基地局ｅＮＢ経由で、設定部１４によって設定されたＺａｄｏｆｆ-Ｃｈｕ系列の数及び所定期間（サイクリックオフセット量）Ｎｃｓの長さを通知してもよい。
【００６０】
なお、本実施形態では、「ＲＡＣＨ  ｒｏｏｔ  ｓｅｑｕｅｎｃｅ」として、Ｚａｄｏｆｆ-Ｃｈｕ系列が用いられる例について説明したが、「ＲＡＣＨ  ｒｏｏｔ  ｓｅｑｕｅｎｃｅ」として、Ｃｏｍｐｕｔｅｒ  ｓｅａｒｃｈによるバイナリ系列等のＣＡＺＡＣ（Ｃｏｎｓｔａｎｔ  Ａｍｐｌｉｔｕｄｅ  Ｚｅｒｏ  Ａｕｔｏ-Ｃｏｒｒｅｌａｔｉｏｎ）系列が用いられてもよい。
【００６１】
（本発明の第１の実施形態に係る移動通信システムの動作）
図８を参照して、本発明の第１の実施形態に係る移動通信システムの動作について、具体的には、本発明の第１の実施形態に係る無線基地局ｅＮＢの動作について説明する。
【００６２】
図８に示すように、ステップＳ１０１において、無線基地局ｅＮＢは、配下のセルにおいて、各受信ウィンドウ内で所定のＲＡＣＨプリアンブルの受信タイミング分布を取得する。
【００６３】
ステップＳ１０２において、無線基地局ｅＮＢは、かかるＲＡＣＨプリアンブルの受信タイミング分布、及び、周辺のセルにおいて用いられているＺａｄｏｆｆ-Ｃｈｕ系列に基づいて、配下のセルに対するＺａｄｏｆｆ-Ｃｈｕ系列の割り当てについて再設計を行う（例えば、図６参照）。
【００６４】
無線基地局ｅＮＢは、ステップＳ１０３において、配下のセルに対して、Ｚａｄｏｆｆ-Ｃｈｕ系列及びサイクリックシフト量Ｎｃｓを割り当て、ステップＳ１０４において、割り当てたＺａｄｏｆｆ-Ｃｈｕ系列及びサイクリックシフト量Ｎｃｓを移動局ＵＥ、及び、周辺のセルに通知する。
【００６５】
なお、上述のステップＳ１０１から１０４の処理が、周辺のセルにおいて連続的に或いは並列的に行われることにより、ＰＲＡＣＨのＲＡＣＨ  ｒｏｏｔ  ｓｅｑｕｅｎｃｅのプランニングが行われてもよい。
【００６６】
また、上述のステップＳ１０１から１０４の処理が、周辺のセルにおいて連続的に或いは並列的に、かつ、自律的に行われることにより、ＰＲＡＣＨのＲＡＣＨ  ｒｏｏｔ  ｓｅｑｕｅｎｃｅのプランニングがＳＯＮ的に行われてもよい。
【００６７】
（本発明の第１の実施形態に係る移動通信システムの作用・効果）
本発明の第１の実施形態に係る移動通信システムによれば、無線基地局ｅＮＢが、各受信ウィンドウ内における所定のＲＡＣＨプリアンブルの受信タイミング分布に基づいて、受信ウィンドウ＃１０１、＃１０２、＃１０３、…の長さ（すなわち、サイクリックオフセット量Ｎｃｓ）がセル＃Ａの半径に対して適切であるか否かについて判断し、かかる判断結果に基づいて、配下のセルに対して割り当てるＺａｄｏｆｆ-Ｃｈｕ系列及びサイクリックシフト量Ｎｃｓを再設計することができるため、効率的に、セル構成の変更に応じたセル再設計作業を行うことができる。
【００６８】
以上に述べた本実施形態の特徴は、以下のように表現されていてもよい。
【００６９】
本実施形態の第１の特徴は、移動通信方法であって、各セル＃Ａ乃至＃Ｇに対して、１つ又は複数のＺａｄｏｆｆ-Ｃｈｕ系列（時間領域及び周波数領域で振幅が一定であり自己相関が０である所定系列）を割り当てる工程と、各セル＃Ａ乃至＃Ｇにおいて、割り当てられたＺａｄｏｆｆ-Ｃｈｕ系列を所定期間Ｎｃｓだけサイクリックシフトすることによって複数のＲＡＣＨプリアンブルを生成する工程と、各セル＃Ａ乃至＃Ｇにおいて、所定期間Ｎｃｓ内のＲＡＣＨプリアンブルの受信タイミング分布を取得する工程とを有することを要旨とする。
【００７０】
本実施形態の第１の特徴において、各セル＃Ａ乃至＃Ｇにおいて、取得した受信タイミング分布に基づいて、各セル＃Ａ乃至＃Ｇに対して割り当てるＺａｄｏｆｆ-Ｃｈｕ系列の数又は所定期間Ｎｃｓの長さを設定する工程を更に有してもよい。
【００７１】
本実施形態の第２の特徴は、各セル＃Ａ乃至＃Ｇに対して、１つ又は複数のＺａｄｏｆｆ-Ｃｈｕ系列を割り当て、割り当てられたＺａｄｏｆｆ-Ｃｈｕ系列を所定期間Ｎｃｓだけサイクリックシフトすることによって複数のＲＡＣＨプリアンブルを生成するように構成されている移動通信システムにおいて用いられる無線基地局ｅＮＢであって、各セル＃Ａ乃至＃Ｇにおいて、所定期間Ｎｃｓ内のＲＡＣＨプリアンブルの受信タイミング分布を取得するように構成されている統計値算出部１２（取得部）を具備することを要旨とする。
【００７２】
本実施形態の第２の特徴において、各セル＃Ａ乃至＃Ｇにおいて、取得した受信タイミング分布に基づいて、各セル＃Ａ乃至＃Ｇに対して割り当てられたＺａｄｏｆｆ-Ｃｈｕ系列に適用すべき所定期間Ｎｃｓの長さを設定するように構成されている設定部１４を更に具備してもよい。
【００７３】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【００７４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【産業上の利用可能性】
【００７７】
以上説明したように、本発明によれば、効率的に、ＲＡＣＨプリアンブルの再割り当てを行うことができる移動通信方法及び無線基地局を提供することができる。
【図１】
2011043321.tif 000003
【図２】
2011043321.tif 000004
【図３】
2011043321.tif 000005
【図４】
2011043321.tif 000006
【図５】
2011043321.tif 000007
【図６】
2011043321.tif 000008
【図７】
2011043321.tif 000009
【図８】
2011043321.tif 000010
【図９】
2011043321.tif 000011
【図１０】
2011043321.tif 000012
【手続補正書】
【提出日】平成24年8月15日(2012.8.15)
【手続補正１】
【補正対象書類名】明細書
【補正対象項目名】００３５
【補正方法】変更
【補正の内容】
【００３５】
例えば、図４のケースのように、受信ウィンドウ＃１０１、＃１０２、＃１０３、…の長さ（すなわち、サイクリックオフセット量Ｎｃｓ）がセル＃Ｂの半径に対して長すぎると判断されるケースには、設定部１４は、サイクリックオフセット量Ｎｃｓの長さを短くするように設定することができる。
【手続補正２】
【補正対象書類名】明細書
【補正対象項目名】００４０
【補正方法】変更
【補正の内容】
【００４０】
また、受信ウィンドウ＃１０１、＃１０２、＃１０３、…の長さ（すなわち、サイクリックオフセット量Ｎｃｓ）がセル＃Ｂの半径に対して短すぎると判断されるケースには、設定部１４は、サイクリックオフセット量Ｎｃｓの長さを長くするように設定することができる。
【国際調査報告】
2011043321.tif 000013
2011043321.tif 000014